(57)【要約】【課題】  既存建造物の窓枠に室外側から後付けするのに好適な構造とする。【解決手段】  ローラ２によって巻き取られるロールスクリーン生地３と、該ロールスクリーン生地３の先端縁に取り付けられこのロールスクリーン生地３を均等に引き出すスライダ４と、ロールスクリーン生地３の両側に沿って形成された被係止部５と、該被係止部５がロールスクリーン生地３の内側に抜け出るのを規制しつつロールスクリーン生地３およびスライダ４を引き出し方向あるいは巻き取り方向へと案内する一対の平行なガイドレール６と、このガイドレール６を建造物の室外側窓枠に対しこの窓枠に形成されている既存のレールその他の縁部の形状を利用してねじ等の締結具を使用することなく着脱可能に外付けする取付用ステーとを備える。【選択図】        図１
2005113577.tif 000002
【特許請求の範囲】
【請求項１】
ローラによって巻き取られるロールスクリーン生地と、該ロールスクリーン生地の先端縁に取り付けられこのロールスクリーン生地を均等に引き出すスライダと、前記ロールスクリーン生地の両側に沿って形成された被係止部と、該被係止部が前記ロールスクリーン生地の内側に抜け出るのを規制しつつ前記ロールスクリーン生地および前記スライダを引き出し方向あるいは巻き取り方向へと案内する一対の平行なガイドレールと、このガイドレールを建造物の室外側窓枠に対しこの窓枠に形成されている既存のレールその他の縁部の形状を利用してねじ等の締結具を使用することなく着脱可能に外付けする取付用ステーとを備えていることを特徴とする外付けロールスクリーン。
【請求項２】
前記スライダおよび前記ガイドレールに前記ロールスクリーン生地の巻き戻りを防止するロック部材とこのロック部材を係止させるストッパとを設けて前記スライダをロック可能とするとともに、前記ロック部材のロック状態の解除操作が可能なロック解除装置を前記スライダまたは前記ガイドレールの室内側に設けて前記ロールスクリーン生地が前記窓枠を覆った状態ではこのロック解除装置を室外側から操作することを防止していることを特徴とする請求項１記載の外付けロールスクリーン。
【請求項３】
前記ロールスクリーン生地を通気性のあるものとしていることを特徴とする請求項１または２記載の外付けロールスクリーン。
【発明の詳細な説明】
【技術分野】
【０００１】
本発明は、外付けロールスクリーンに関する。さらに詳述すると、本発明は、既存の建造物に後付け（後施工）するのに好適なロールスクリーン装置の構造に関する。
【背景技術】
【０００２】
窓枠等に設置されるロールスクリーンとして、巻き取り可能なスクリーン生地の引き出し端にスライダ（スクリーン生地の引き出し端の全てを同時にかつ均一に引き出しあるいは巻き戻すための支持棒）を備えこのスライダの両端を一対のガイドレールによって案内するようにした装置が、例えばレストランにおけるカーテン装置等として利用されている。
【０００３】
また、ロールスクリーン生地に防虫網を用いたいわゆるロール網戸として、巻き取り可能な防虫網の両側に突部を備えたファスナーを取り付け、これら突部をガイドレール内に挿通させるようにして防虫網とガイドレールとの間に隙間ができないようにした装置が利用されている（特許文献１参照）。
【０００４】
ここで、ロールスクリーン装置は一般に室内側に取り付けられるものであるが、これを室外側に取り付けることができれば光や熱を遮断することにより室内冷却能が向上するなどの効果が得られる場合がある。
【０００５】
【特許文献１】特公平１−６１１５８号（特開昭６０−１９８９２号）公報
【発明の開示】
【発明が解決しようとする課題】
【０００６】
しかしながら、従来のロールスクリーン装置はいずれも室内側に取り付けられるいわば内付け用の装置であり、外付け専用構造ではないことから室外に取り付ける場合には問題が伴う。すなわち、元々室内用に設計されているロールスクリーンを室外で使用する場合、風雨に曝されるため強度や耐久性の面に問題がある。また、上述のロール網戸も室内に適するものであって、かつ防虫網の側部を切り離し可能とするためファスナーを利用していることから風圧の影響でこのファスナー部分が外れたり場合によっては壊れたりするというおそれがある。
【０００７】
また、既存の建造物の窓枠にロールスクリーンを後付けしようとすればねじ等の締結具が必要となるが、ねじ止めするにはねじ孔を設けなければならず、更にはねじ止めする際に傷が付く等、窓枠に何らかの疵痕を残してしまう。また、だからといって接着剤を用いるとロールスクリーンを取り外すことができなくなるかあるいは取り外せても接着痕が残ってしまい、更には取り外す際に窓枠等に何らかの変形を生じさせてしまうおそれもある。これらの問題は、特に賃貸物件において問題となりうることであり、ロールスクリーンを設置したくても後付けすることは実質的に難しく適用範囲が狭いという問題もある。
【０００８】
そこで、本発明は、既存建造物の窓枠に室外側から後付けするのに好適な構造の外付けロールスクリーンを提供することを目的とする。
【課題を解決するための手段】
【０００９】
かかる目的を達成するため、請求項１記載の発明の外付けロールスクリーンは、ローラによって巻き取られるロールスクリーン生地と、該ロールスクリーン生地の先端縁に取り付けられこのロールスクリーン生地を均等に引き出すスライダと、ロールスクリーン生地の両側に沿って形成された被係止部と、該被係止部がロールスクリーン生地の内側に抜け出るのを規制しつつロールスクリーン生地およびスライダを引き出し方向あるいは巻き取り方向へと案内する一対の平行なガイドレールと、このガイドレールを建造物の室外側窓枠に対しこの窓枠に形成されている既存のレールその他の縁部の形状を利用してねじ等の締結具を使用することなく着脱可能に外付けする取付用ステーとを備えていることを特徴とするものである。
【００１０】
このロールスクリーンは、室外側窓枠に形成されている既存の縁部を利用して取り付けることを可能とすることにより外付けに適した構造を実現している。すなわち、既存サッシの縁部に取付可能な汎用性のある取付用ステーにより締結具を使用せずに取り付けることを可能とした外付け構造としているため窓枠に疵痕を付けるようなことがない。しかも、当初から外付けが考慮された構造であるため、風雨に曝されることに対して予め必要な強度や耐久性を備えたものとし、室外での使用に適した構造とすることができる。
【００１１】
しかも、ロールスクリーン生地両側の被係止部がガイドレールから抜け出ないよう常に係止された状態となることから、風圧でロールスクリーン生地の両端がガイドレールから抜け出るようなことがない。このため、風を受けた場合にロールスクリーン生地が外れて翻ったり捲り返るようなことがないし、強い風雨の影響で損壊するようなことも皆無である。また、ファスナーを備えた装置のように生地の両側部が外れたり壊れたりするおそれもない。尚かつ、ロールスクリーン生地を引き出した状態ではロールスクリーン生地の両側がガイドレール内に係止した状態となり、隙間なく密閉した状態に保たれる。
【００１２】
加えて、住居等のセキュリティ（防犯）機能を高めるという付随的な効果も得られる。すなわち、ロールスクリーン生地によって全閉状態とした場合、ガラス窓が完全に覆い隠されることからガラス窓を破って侵入することが容易との印象を与えないようになり、住居へ侵入等する行為を躊躇させる誘因となりうる。この場合、従来ある窓との二重構造となることから、窓を破り金品を盗る行為が完遂するのが困難となり、実際に被害に遭うおそれもが少なくなることが期待できる。
【００１３】
以上の外付けロールスクリーンは、請求項２記載の発明のように、スライダおよびガイドレールにロールスクリーン生地の巻き戻りを防止するロック部材とこのロック部材を係止させるストッパとを設けてスライダをロック可能とするとともに、ロック部材のロック状態の解除操作が可能なロック解除装置をスライダまたはガイドレールの室内側に設けてロールスクリーン生地が窓枠を覆った状態ではこのロック解除装置を室外側から操作することを防止していることが好ましい。
【００１４】
このような外付けロールスクリーンによれば、ロック部材とストッパとでスライダをロックすることにより、従来のロールスクリーン装置と同様にロールスクリーン生地を所望量引き出した状態で保持することができる。しかも、ロック状態を解除するためのロック解除装置を室内側に設け、ロールスクリーン生地を全閉した状態では室外側からこのロック解除装置を操作できないようにしているため、ロールスクリーンを全閉状態としたとき窓枠とロールスクリーン生地との間のいずれの部分にも隙間が形成されず、したがって窓枠とロールスクリーンとの間に指や手を差し入れたりできないようシールドされた状態に保たれ、室外からロック解除装置を操作することが不可能となる。
【００１５】
また、請求項３に記載のようにロールスクリーン生地を通気性のあるものとすることも好ましい。こうした場合、全閉した状態において日除け、遮光、防虫等の機能を果たしつつ通気を確保できることから不要なときは巻き込んで収容可能なロール網戸と同等に機能する。
【発明の効果】
【００１６】
以上の説明より明らかなように、既存のサッシ等に取付可能な汎用性のある取付用ステーを備えた請求項１記載の外付けロールスクリーンによると、窓枠に疵痕を付けずに着脱可能な外付けに適した構造を実現している。しかも、風雨に対し必要な強度や耐久性を予め備えたものとすることにより室外での使用に適した構造のロールスクリーンとすることができる。
【００１７】
また、ロールスクリーン生地両側の被係止部がガイドレールから抜け出ないよう常に係止された状態となることから、風圧で生地両端がガイドレールから抜け出るようなことがない。このため、風を受けた場合にロールスクリーン生地が外れて翻ったり捲り返るようなことがないし、強い風雨の影響で損壊するようなことも皆無である。また、ファスナーを備えた装置のように生地の両側部が外れたり壊れたりするおそれもない。
【００１８】
しかも、ロールスクリーンを室外側へ取り付けた場合には、防虫、日除け、遮光といった従来品と同様の効果のみならず、光や熱を遮断する作用が高まって室内冷却能や効率が向上するなど更なる効果も得られる。
【００１９】
加えて、ロールスクリーンを全閉状態とした場合にガラス窓が完全に覆い隠されることからガラス窓を破って侵入することが容易との印象を与えず、住居へ侵入等する行為を躊躇させる誘因となる。このため住居等のセキュリティ（防犯）機能を高めるという付随的な効果も得られる。
【００２０】
また、ロック状態を解除するためのロック解除装置を室内側に設けた請求項２記載の外付けロールスクリーンによると、ロールスクリーン生地を全閉した状態では室外側からロック解除装置を操作できない。このため、ロールスクリーンの全閉時に窓枠をシールドした状態に保ち、セキュリティ機能をさらに高めることができる。
【００２１】
請求項３に記載の外付けロールスクリーンによると、生地を通気性のあるものとしたことにより、全閉した状態における日除け、遮光、防虫等の機能を果たしつつ通気を確保でき、収容可能なロール網戸と同等に機能することができる。
【発明を実施するための最良の形態】
【００２２】
以下、本発明の構成を図面に示す実施の形態に基づいて詳細に説明する。
【００２３】
図１〜図１６に、本発明の一実施形態を示す。本発明の外付けロールスクリーン１は、ローラ２と、ロールスクリーン生地３と、スライダ４と、ロールスクリーン生地３に形成された被係止部５と、ロールスクリーン生地３およびスライダ４を引き出し方向あるいは巻き取り方向へと案内する一対の平行なガイドレール６と、このガイドレール６を建造物の室外側窓枠７に外付けする取付用ステー８とを備えているものである。なお本明細書でいう「窓枠」には、いわゆる小窓のような人が出入りしない大きさの窓枠のみならず人が出入り可能に設けられた引違い戸１２のようなものの窓枠あるいは戸枠までもが含まれる。
【００２４】
この外付けロールスクリーン１のサイズは特に限定されるものではなく設置される窓あるいは引戸の大きさに応じて種々のサイズが適用されうるものであり、例えば分譲マンションのバルコニーの引違い戸１２に適用しても好適なものである（図７参照）。以下、図７に示すようなバルコニーの引違い戸１２用に設けられた手動型の外付けロールスクリーン１、つまりロールスクリーン生地３を手動で引き下ろすとともにローラ２の戻り力を利用してロールスクリーン生地３を巻き戻すタイプの外付けロールスクリーン１について説明する。
【００２５】
ローラ２はロールスクリーン生地３を巻き取る装置で、引き出されたロールスクリーン生地３を巻き戻すための戻り力をねじりコイルばね等の弾性部材を利用して発揮している（図１参照）。ローラ２はその軸長がロールスクリーン生地３の幅より長いものとされている。
【００２６】
ロールスクリーン生地３は窓を覆い隠すスクリーンとして機能する生地で、ローラ２によって巻き取り可能に設けられている。このロールスクリーン生地３はロールスクリーン１が設置される窓の種類・用途に応じて遮光性生地、耐水性生地、通気性生地などから適宜選択して用いられる。いずれの場合にもこの生地３は難燃性であることが望ましい。例えば本実施形態ではメッシュ遮光生地、暗幕生地、遮音生地、防虫網といった従来品をこのロールスクリーン生地３として使用している。
【００２７】
ロールスクリーン生地３の両側には被係止部５が形成されている（図１、図３等参照）。この被係止部５は、ガイドレール６によって案内されるロールスクリーン生地３の両側がこのガイドレール６から抜け出るのを規制するために設けられているもので、例えば本実施形態のようにチャネル形状のガイドレール６であればそれに合わせて開口幅より大径の膨出部とされているが、これは一例に過ぎずガイドレール６の形状に合わせて形成されていれば足り、例えばガイドレール６の開口縁や内部のインナーレール６ｂに引っ掛かるように鉤状に設けられているもの等でもよい。本実施形態では、ガイドレール６を外枠を形成するアウターレール６ａとこれに組み込まれる樹脂製インナーレール６ｂとからなる二重構造とした上で、ロールスクリーン生地３の両側にはこの樹脂製インナーレール６ｂの溝に嵌るメタルボールを複数設けて被係止部５としている（図３、図４参照。以下、本実施形態では「メタルボール５」と表記する）。メタルボール５は球形あるいは楕円形に形成された鋼製の部材で（図６参照）、複数がほぼ等間隔で一列に設けられている。例えば本実施形態では、ロールスクリーン生地３の両側に対しメタルボール５をまず溶着し、更にミシン縫製にて堅牢に加工して取り付けるようにしている。この場合、ロールスクリーン生地３が引っ掛かりなくスムーズに引き出され又は巻き取られるようにするにはこれらメタルボール５の設置間隔が狭くそれらの隙間ができるだけ小さくなっていることが好ましい。以上のようにロールスクリーン生地３の両側にメタルボール５が設けられた本実施形態の外付けロールスクリーン１の場合、メタルボール５がガイドレール６から抜け出ないよう規制されていることから、ロールスクリーン１を全閉状態としたとき窓枠７とロールスクリーン生地３との間のいずれの部分にも隙間が形成されず、指や手を差し入れたりできないようシールドされた状態にすることができる。
【００２８】
スライダ４はロールスクリーン生地３の先端縁に取り付けられている棒状部材で、その両端をガイドレール６に案内されながら平行移動することによってこのロールスクリーン生地３をローラ２から均等に引き出しあるいはこれとは逆にローラ２に均等に巻き戻らせる。このスライダ４の両端には、このスライダ４をガイドレール６上の所定位置にて停止させるためのロック部材９が設けられ、さらにスライダ４の中央にはこのロック部材９のロック状態を解除するためのロック解除装置１１が設けられている。
【００２９】
ガイドレール６は、ロールスクリーン生地３の両側の被係止部５がロールスクリーン生地３の内側に抜け出るのを規制しつつロールスクリーン生地３およびスライダ４を引き出し方向あるいは巻き取り方向へと案内する一対のレールによって構成されているものである。本実施形態のガイドレール６は上述したようにアウターレール６ａとインナーレール６ｂとからなる二重構造であり、チャネル形状としたアウターレール６ａの内部に溝を有する樹脂製のインナーレール６ｂが収容される構造となっている。樹脂製インナーレール６ｂの溝は、上述したメタルボール５が内側に抜け出るのを規制しつつ長手方向（本実施形態の場合、鉛直方向）に移動可能な状態で収容するチャネル形状に形成されている。ただしインナーレール６ｂの溝形状はこのようなチャネル形状に限られるものではなく、被係止部５が例えば上述したように鉤状に設けられているのであればこの鉤部分を引っ掛けるような引っ掛け部を有する形状としていてもよい。また、アウターレール６ａにはこのガイドレール６を取付用ステー８に直接あるいはコネクタ２２を介して接続するためのブラケット６ｃが設けられている（図１等参照）。
【００３０】
また、ガイドレール６の内側を向く側にはスライダ４のロック部材９を係止させるためのストッパ１０が設けられている（図１等参照）。本実施形態ではこのストッパ１０を図１に示しているような楔形とし、ロールスクリーン生地３およびスライダ４を引き出す（引き下ろす）際にはロック部材９がこのストッパ１０の傾斜面に沿って乗り越えるが、ロールスクリーン生地３が巻き取られる際にはこのストッパ１０の端面によってロック部材９を停止させそれ以上ロールスクリーン生地３が巻き戻らないようにしている。
【００３１】
スライダ４に設けられているロック部材９は図示しない付勢手段によって外側に突出するように付勢されており（図３参照）、ストッパ１０を乗り越える際には一時的に内側へと押し込まれ乗り越えた後で再び突出するようになっているもので、例えば丸みを帯びた角柱形状とされ、常に所定量だけ両側に向けて突出している（図３参照）。本実施形態では、スライダ４の両端にロック片９ａ，９ｂを設けこれら一対のロック片９ａ，９ｂをガイドレール６上に設けられたストッパ１０に係合させるようにしている。
【００３２】
ロック解除装置１１はロック部材９のロック状態を解除するための装置であり、例えば本実施形態の場合であれば両側のロック片９ａ，９ｂを引き込む一対のスライド片１１ａ，１１ｂをスライダ４の中央に設けこれによりロック状態を解除できるようにしている（図１等参照）。特に図示していないがこの一対のスライド片１１ａ，１１ｂはそれぞれがロック片９ａ，９ｂと連動するように内部で繋がっており、各スライド片１１ａ，１１ｂを所定量スライドさせることによってロック片９ａ，９ｂがロック状態を解除しうる量だけ引き込まれるようになっている。本実施形態ではロック片９ａ，９ｂおよびスライド片１１ａ，１１ｂを左右それぞれ独立して動作可能としているが、例えば両機構をラックとギヤで連結することによって同量スライドするように連係させても構わない。いずれにしても、左右のロック片９ａ，９ｂがともに引き込まれた状態となって初めてロックが解除され、スライダ４の移動が可能となる。
【００３３】
また、本実施形態ではこのロック解除装置１１をスライダ４上であって外付けロールスクリーン１の室内側に設けるようにしている（図９等参照）。このためこの外付けロールスクリーン１によれば、ロールスクリーン生地３を全閉状態とし尚かつロック部材９をストッパ１０でロックした状態とすることにより室外側からロック解除操作をすることが不可能となる。したがって本実施形態の外付けロールスクリーン１は、窓枠７に外付けされることによって既存のガラス窓等と二重の構造を形成することができ、ガラス窓等のみの一重構造に比べてセキュリティ機能を高めることができる。しかも、全閉状態とすることにより窓枠７の中さらにはロック解除のための装置が室外側から見えなくなることから当該家屋等へ侵入する等の犯罪心理を抑止する効果も奏する。
【００３４】
取付用ステー８は、上述したガイドレール６を建造物の室外側窓枠７に着脱可能な状態で外付けするための部材であり、窓枠７に形成されている既存のレールその他の縁部の形状を利用してねじ等の締結具を使用することなく外付けできるように本実施形態では以下のように構成している。すなわち、引違い戸１２および網戸１３のサッシ１４の室外側であって窓枠の内側を向くように垂直に折り曲げられた縁部１４ａを利用し（図１４等参照）、把持部８ａでこの縁部１４ａを挟み込んだ状態でサッシ１４に取り付けられるように構成している。把持部８ａは、折返し部分の弾性を利用して縁部１４ａを挟み込むことができるようなクリップ状であり、縁部１４ａに取り付けられた場合にガイドレール６の位置や向きをほぼ一義的に保つ程度の弾性と強度を有するように形成されている。この場合、図１４に示すように、把持部８ａの内面に例えば２個の爪を設けておけばずれ難くなり縁部１４ａから脱落しないようにすることができる。このように、クリップ状の把持部８ａにより縁部１４ａを挟み込むようにしてサッシ１４に取り付けられる取付用ステー８によれば、サッシ１４や窓枠７に一切の傷を付けることなくロールスクリーンを外付けすることが可能となる。しかもこのような構造の取付用ステー８によれば、例えば外付けロールスクリーン１自体を掛け替える等の作業時において特殊な工具を使用せずともこのロールスクリーン１をサッシ１４から取り外すことが可能であり、尚かつ一切の傷を残さない。このため本実施形態の外付けロールスクリーン１は特に既設の建造物に後付け（後施工）する場合に好適である。また、サッシ１４として一般的な形状のいわゆる規格品が用いられている場合には、取付用ステー８として種々の形状のものを取り揃えるまでもなく汎用することが可能となる。
【００３５】
また外付けロールスクリーン１の上部にはローラ２およびロールスクリーン生地３が収容されるハウジング１６が設けられている（図１等参照）。このハウジング１６は、ローラ２とローラ２によって巻き取られたロールスクリーン生地３を覆う覆いとして機能するとともにローラ２の軸受としても機能する。例えば本実施形態のハウジング１６は断面Ｌ字形のブラケット１６ａと、このブラケット１６ａに着脱可能なカバー１６ｂと、両側を塞ぐサイドカバー１６ｃとで構成されている。サイドカバー１６ｃはその中央に設けられた透孔（あるいは凹部）１６ｄによってローラ２の軸端を保持する軸受として機能する（図１等参照）。なお図１等では単純な箱形状のハウジング１６を図示しているに過ぎないが、実際にはローラ２およびロールスクリーン生地３の巻き取り時の形状に合わせて一部が凸状となった形状等とすることがハウジング１６の容量減少、デザイン性向上等の点で好ましい（図１１等参照）。
【００３６】
引き続き、以下では図７〜図１６を用いて左右の引違い戸１２に設けられた外付けロールスクリーン１の構造について説明する。
【００３７】
この外付けロールスクリーン１においては、ガイドレール６と取付用ステー８との間に角パイプからなり外付けロールスクリーン１全体を補強するためのフレームとして機能するガイドレール基材１５が介在している（図１３等参照）。この場合、ガイドレール基材１５のうち室外側に露出している部分を曲率が変化する曲線により形成される膨出形状とするなどデザイン的な形状とすることも好ましい（図１３等参照）。
【００３８】
このガイドレール基材１５と取付用ステー８との間には、これら両部材を着脱可能にするコネクタ２２が設けられている（図１１、図１４参照）。例えば本実施形態では二対の弾性爪によってこのコネクタ２２を構成し、一方側の爪を他方側の爪に押し込むようにして係合させることによって両部材を一体化できるとともに一方の部材を斜めに捻ることにより爪が外れて両部材を取り外すことができるようにしている。
【００３９】
引違い戸１２に設けられている外付けロールスクリーン１は、窓枠７の中央寄りに位置するガイドレール６（またはガイドレール基材１５）どうしを隣接させた状態で窓枠７の左右に設置されている（図８等参照）。この場合、本実施形態では４本のガイドレール６および４本のガイドレール基材１５を全て同じ構造としているが（図８、図１６等参照）、予め、隣接するガイドレール６およびガイドレール基材１５どうしを一体化した構造としてもよい。左右に並んで配置された２枚のロールスクリーン生地３はそれぞれ独立に開閉することができる（図７、図８参照）。
【００４０】
また、ハウジング１６はサッシ１４の上側縁部１４ｂに取り付けられている（図１１参照）。具体的には、クリップ形状の把持部８ａを備えた取付用ステー８がハウジング１６の室内側に設けられており（図１１参照）、この把持部８ａで縁部１４ｂを挟み込むことによってサッシ１４に着脱可能に取り付けられるようになっている。
【００４１】
さらに、このハウジング１６におけるロールスクリーン生地３の巻き取り用溝１６ｅの内側には、ローラ２から引き出され又はローラ２によって巻き取られるロールスクリーン生地３の表面および裏面に接触するクリーニング部材１７が設けられている（図１１参照）。クリーニング部材１７としては、例えばモヘアのように適度な柔らかさを持ち生地を傷付けずにクリーニング可能な素材を適用することが好ましい。
【００４２】
また、この外付けロールスクリーン１のフレームは上部のハウジング１６およびこれに各上端が接続される左右のガイドレール６の３辺の枠部材で門形に構成することも可能だが、本実施形態ではさらに下部にも枠部材を設けて矩形状のフレームを構成するようにしている。下部の枠部材は、下側窓枠７のステップ部分に設けられたクッション材１８とこのクッション材１８となる部分に被されたチャネル状の板状フレーム１９とで構成されている（図１２参照）。なお、特に図示していないが、隣合う各フレーム（つまり上部のハウジング１６、左右のガイドレール６および下部の枠部材１８，１９）どうしはねじ等の締結具によって連結される。
【００４３】
スライダ４の底面には、下端まで引き下げられたこのスライダ４が板状フレーム１９に接触あるいは衝突するときの衝撃を緩和する吸収材２０が設けられている（図１２参照）。吸収材２０としては、衝撃や衝突音を吸収して緩和しやすく、更にはスライダ４と板状フレーム１９の間の隙間を埋めやすいよう弾性変形しやすいものが好ましい。本実施形態では図示するように下側が円弧状となった中空のゴム材を吸収材２０として使用している。
【００４４】
さらにスライダ４の室内側には、ハウジング１６の底に当接してロールスクリーン生地３の巻き取りを規制するストッパ２１が設けられている（図１０、図１２参照）。上述の吸収材２０と同様、このストッパ２１も容易に変形しうるゴム材など弾性を有する部材からなり、ハウジング１６への衝突時に衝突音を十分に減少させうるものであることが好ましい。
【００４５】
以上説明した本実施形態の外付けロールスクリーン１は、その開閉量に応じて室外の光を適度に遮ることのできる遮光スクリーンとして機能するのはもちろんのこと、雨戸代わりの遮蔽物としても機能しうるものである。すなわち、例えばマンションに多くみられる雨戸のない部屋においてこの外付けロールスクリーン１は暗幕代わりとなることから、このような部屋の目隠し（ブラインド）として機能し、ガラス窓を通じて外から部屋の内部が丸見えとなるような状態を回避することができる。
【００４６】
また、ロールスクリーン生地３を非通気性のものとした場合には、このロールスクリーン生地３を引き下げて全閉状態とすればガラス窓との二重構造となり室内の保温性を高める断熱材としても機能することになる。しかも、ロールスクリーン生地３の両側がガイドレール６との間に隙間の生じない密閉構造であるため例えば花粉が室内に入り込むのを防ぐ防護スクリーンとしても機能しうる。
【００４７】
一方で、これとは逆にロールスクリーン生地３をメッシュ素材とするなど通気性（通風性）のあるものとした場合には、既存の窓枠７との間で虫等が侵入できるような隙間を形成することなく通気のみ可能とするいわばロール網戸として機能しうる。このため、例えば既存のワンルームマンション等の網戸が設置されていない部屋においても住人等に虫等の侵入を防ぎつつ通気が可能な環境を提供することができる。
【００４８】
また、上述のような外付けロールスクリーン１は既存の建造物に対する犯罪心理を抑止させるという効果がある。すなわち、例えばガラス窓の一部を破壊し鍵を外して侵入するという窃盗行為に対しては、ガラス窓がロールスクリーン生地３で覆われていれば窓鍵の位置も一目で確認できなくなり、またロールスクリーン生地３を破ってロールスクリーン１の鍵を解除しようとしても鍵位置を確認するのに手間がかかるといったことから侵入行為を躊躇させる効果が期待できる。
【００４９】
なお、上述の実施形態は本発明の好適な実施の一例ではあるがこれに限定されるものではなく本発明の要旨を逸脱しない範囲において種々変形実施可能である。例えば、本実施形態ではマンションをはじめとする住宅の窓枠７に適用した場合について説明したがこれに限られるものではなく、この他、一戸建て住宅はもちろん、ホテルやリゾート関連の宿泊施設あるいはこれに併設される滞在施設等においても適用可能であり、さらには郊外型レストランといった飲食店に適用にしても好適なものである。すなわち、一般に飲食店におけるロールスクリーンやたくし上げ式のカーテン（ローマンシェードと呼ばれるようなもの）は窓の内側つまり店内に設置されており、室内で上げ下げの操作を行うことができるものの生地が汚れた場合にその傍で飲食する客に不快な印象を与えかねないという問題も併せ有するものであるが、本発明に係る外付けロールスクリーン１によれば窓の外側つまり店外にスクリーンを設置するという従来とは全く異なる遮光装置とすることが可能である。窓の外側に設置されたロールスクリーン１は仮にその生地３が汚れているような場合でも窓を隔てて外側にあるため客に不快感を全く与えることがない。
【００５０】
さらにこのような店外設置型の外付けロールスクリーン１に広告機能を持たせることもできる。すなわち、ロールスクリーン生地３に例えば店のメニューや宣伝等を記載しておくことにより、ロールスクリーン生地３を引き出した状態で広告機能を発揮するようにすることができる。また、ロールスクリーン生地３の両面に広告を記載することにより、店内で飲食する客のみならず店外を通り過ぎる通行人までも広告の対象に加えることができる。
【００５１】
また、このような店外設置型の外付けロールスクリーン１は店員が一つひとつを上げ下げする手動式のものであってもよいが、作業の効率の観点からすれば自動式のものが好適である。以下、ロールスクリーン生地３の引き出しと巻き取りとを自動に行う電動式の外付けロールスクリーン１について説明する（図１７、図１８参照）。図１７に示すように、ローラ２には上述した実施形態のものよりも大径（例えば外径１３０ｍｍ程度）の中空ローラが用いられている。このローラ２はその回転軸の両端をブラケット２３によって支持されている。図示していないが、モータの回転がプーリやベルトあるいはギヤ列等からなる伝達機構によってローラ２に伝達されている。またガイドレール６は、建具の寸法誤差を吸収し、あるいはロールスクリーン生地３の着脱時・着脱後の動きに余裕を確保するため、インナーレール６ｂがアウターレール６ａ内でロールスクリーン生地３の幅方向に若干動くことができる程度の隙間を有するように形成されている（図１８参照）。外付けロールスクリーン１が店外に設置された場合、風の影響によりロールスクリーン生地３が瞬間的に翻されることがあるが、インナーレール６ｂが幅方向にストロークすることによってロールスクリーン生地３に瞬時的に作用する引っ張り力が緩和されうる。
【００５２】
なお、上述の店外設置型の外付けロールスクリーン１は必ずしもロック部材９、ストッパ１０、ロック解除装置１１を備えたものでなくても構わない。すなわち、この場合にあってはローラ２から引き出されたロールスクリーン生地３およびスライダ４をある位置で保持しておくことができる公知の装置、例えばローラ２に組み込まれておりロールスクリーン生地３を僅かに引き出すと係合状態が解除されるラチェット機構を備えた自動ロック装置装置を有していればロールスクリーン生地３を所望長さ引き出した状態に保持することができ、スクリーンとしての機能を果たし得る。
【００５３】
ここまで説明した外付けロールスクリーン１はいずれもロールスクリーン生地３を上下方向に引き出し巻き取るものであったが、引き出し・巻き取り方向はこれに限らず、例えばこれと直交する方向すなわち横方向にスライドさせる構造とすることも可能である。
【００５４】
また、ここまでの説明では両ガイドレール６が直線（鉛直）あるいは真横に平行であった場合について説明したが、本明細書で「一対の平行なガイドレール６」という場合における平行は以上のように直線である場合のみならず、両ガイドレール６の間隔が一定でありさえすれば例えばガイドレール６が途中で湾曲していても構わず、例えば特に図示はしていないがガイドレール６の下側半分が真っ直ぐであるが上側半分は室外側に反り返るように湾曲した形状となっているような場合も含まれる。このようにガイドレール６が沿っている場合、このガイドレール６形状に合わせて取付用ステー８の形状を変更すれば本実施形態の場合と同じように既存の窓枠７等に着脱可能に取り付けることができる。
【図面の簡単な説明】
【００５５】
【図１】本発明の一実施形態を示す外付けロールスクリーンの斜視図で、ローラからロールスクリーン生地の全てを引き出した状態であってハウジング等を分解して示すものである。
【図２】全閉状態での外付けロールスクリーンを示す全体斜視図である。
【図３】スライダおよびその周辺の構造を示す部分拡大斜視図である。
【図４】スライダの一端およびガイドレールの上端付近を更に拡大して示す部分斜視図である。
【図５】外付けロールスクリーンの（Ａ）正面図と（Ｂ）側面図である。
【図６】スライダの一端およびガイドレールの構造を示す部分平面図である。
【図７】分譲マンションのバルコニーの引違い戸に適用された外付けロールスクリーンの一例を示す図である。
【図８】図７に示した外付けロールスクリーンの室内側を示す図である。
【図９】図７に示した外付けロールスクリーンの平面図である。
【図１０】外付けロールスクリーンおよびその周辺の窓枠等の構造を示す側面図である。
【図１１】図１０に示した外付けロールスクリーン等の上部拡大図である。
【図１２】図１０に示した外付けロールスクリーン等の下部拡大図である。
【図１３】外付けロールスクリーンおよびその周辺の窓枠等の構造をより詳しく示す平面図である。
【図１４】図１３に示した外付けロールスクリーン等の図中右部分の拡大図である。
【図１５】図１３に示した外付けロールスクリーン等の図中中央部分の拡大図である。
【図１６】図１３に示した外付けロールスクリーン等の図中左部分の拡大図である。
【図１７】電動式の外付けロールスクリーンを示す分解斜視図である。
【図１８】図１７に示した外付けロールスクリーンのガイドレールおよびその周辺部分を示す平面図である。
【符号の説明】
【００５６】
１  外付けロールスクリーン
２  ローラ
３  スクリーン生地
４  スライダ
５  メタルボール（被係止部）
６  ガイドレール
７  窓枠
８  取付用ステー
９  ロック部材
１０  ストッパ
１１  ロック解除装置
【図１】
2005113577.tif 000003
【図２】
2005113577.tif 000004
【図３】
2005113577.tif 000005
【図４】
2005113577.tif 000006
【図５】
2005113577.tif 000007
【図６】
2005113577.tif 000008
【図７】
2005113577.tif 000009
【図８】
2005113577.tif 000010
【図９】
2005113577.tif 000011
【図１０】
2005113577.tif 000012
【図１１】
2005113577.tif 000013
【図１２】
2005113577.tif 000014
【図１３】
2005113577.tif 000015
【図１４】
2005113577.tif 000016
【図１５】
2005113577.tif 000017
【図１６】
2005113577.tif 000018
【図１７】
2005113577.tif 000019
【図１８】
2005113577.tif 000020